(57)【要約】【課題】  接続部を長くすることなく、安定して接続することができる流体管を提供する。【解決手段】  流体管２は、長手方向に沿って内外が凹凸状に連続形成された波付部３と、接続対象１が挿入される接続部４とが、長手方向に交互に並んで形成される。接続部４は、二種類以上の接続対象１、１の外径に対応するように、内径の異なる二種類以上の平滑部５、５を有する。そして、それら平滑部５、５のうちの内径が最小となる最小平滑部５ａは、前記波付部３と並ぶように位置する。そこで、波付部３における、最小平滑部５ａと隣接する部分は、その内面の凸部３ｂの内径Ｄ３１が、最小平滑部５ａの内径Ｄ５１と等しく形成されて、最小平滑部５ａに挿入される接続対象１がその最小平滑部５ａに続いて挿入される、挿し込み代３ａとなる。【選択図】  図２
2011153667.tif 000002
【特許請求の範囲】
【請求項１】
長手方向に沿って内外が凹凸状に連続形成された波付部と、接続対象が挿入される接続部とが、前記長手方向に交互に並ぶ流体管であって、
前記接続部は、二種類以上の前記接続対象の外径に対応するように、内径の異なる二種類以上の平滑部を有し、かつ、それら平滑部が連続して並び、
前記接続部における前記平滑部のうちの一方側に位置する平滑部が第１平滑部となり、前記波付部における、前記第１平滑部と隣接する部分は、その内面の凸部の内径が前記第１平滑部の内径と等しく形成されて、前記第１平滑部に挿入される前記接続対象がその第１平滑部に続いて挿入される、挿し込み代となることを特徴とする流体管。
【請求項２】
前記接続部における前記平滑部のうちの他方側に位置する平滑部が第２平滑部となり、前記波付部における、前記第２平滑部と隣接する部分は、その内面の凸部の内径が前記第２平滑部の内径と等しく形成されて、前記第２平滑部に挿入される前記接続対象がその第２平滑部に続いて挿入される、他の挿し込み代となることを特徴とする請求項１に記載の流体管。
【請求項３】
前記波付部において前記挿し込み代を除いた部分の内面の凸部の内径は、前記挿し込み代の内面の凸部の内径よりも大きいことを特徴とする請求項１に記載の流体管。
【請求項４】
前記波付部において前記挿し込み代を除いた部分の内面の凸部の内径は、前記挿し込み代の内面の凸部の内径よりも小さいことを特徴とする請求項１に記載の流体管。
【発明の詳細な説明】
【技術分野】
【０００１】
この発明は、波付部と接続部とが交互に並ぶ流体管に関するものである。
【背景技術】
【０００２】
従来、流体管として、可撓性を有する波付ホースがあった（例えば、特許文献１参照）。この波付ホースは、所定長さごとに平滑な周面を有する環状の凸状部が設けられていた。そこで、この波付ホースは、切断の際に、凸状部の一端部から切断することで、その凸状部側が、水道の蛇口等の接続対象に接続するための接続部となった。
【先行技術文献】
【特許文献】
【０００３】
【特許文献１】実公昭４３−１４９１４号公報
【発明の概要】
【発明が解決しようとする課題】
【０００４】
ところで、前記従来の波付ホースにあっては、接続部は、安定した接続のために十分な長さを必要とし、その一方で、接続部が長いとホースの可撓性を損ねる虞があった。
【０００５】
この発明は、上記した従来の欠点を解決するためになされたものであり、その目的とするところは、接続部を長くすることなく、安定して接続することができる流体管を提供することにある。
【課題を解決するための手段】
【０００６】
この発明に係る流体管は、前記目的を達成するために、次の構成からなる。すなわち、
請求項１に記載の発明に係る流体管は、長手方向に沿って内外が凹凸状に連続形成された波付部と、接続対象が挿入される接続部とが、前記長手方向に交互に並ぶ流体管である。ここで、前記接続部は、二種類以上の前記接続対象の外径に対応するように、内径の異なる二種類以上の平滑部を有し、かつ、それら平滑部が連続して並ぶ。そこで、前記接続部における前記平滑部のうちの一方側に位置する平滑部が第１平滑部となり、前記波付部における、前記第１平滑部と隣接する部分は、その内面の凸部の内径が前記第１平滑部の内径と等しく形成されて、前記第１平滑部に挿入される前記接続対象がその第１平滑部に続いて挿入される、挿し込み代となる。
【０００７】
この流体管によると、接続部は、二種類以上の接続対象の外径に対応するように、内径の異なる二種類以上の平滑部を有している。したがって、接続対象の外径に対応する内径の平滑部が端部に位置するように、流体管を切断することで、その平滑部が、目的の接続対象が挿入される挿入部となる。そして、この平滑部が第１平滑部の場合には、接続対象は、その第１平滑部に続いて、波付部における内面の凸部の内径が第１平滑部の内径と等しく形成された挿し込み代に挿入される。したがって、第１平滑部以外に、波付部における挿し込み代が、接続対象が挿入される挿入部となり、このため、第１平滑部、ひいては接続部を長くすることなく、この流体管を接続対象に安定して接続することができる。
【０００８】
また、請求項２に記載の発明に係る流体管は、請求項１に記載の流体管であって、前記接続部における前記平滑部のうちの他方側に位置する平滑部が第２平滑部となり、前記波付部における、前記第２平滑部と隣接する部分は、その内面の凸部の内径が前記第２平滑部の内径と等しく形成されて、前記第２平滑部に挿入される前記接続対象がその第２平滑部に続いて挿入される、他の挿し込み代となる。これにより、接続対象が挿入される平滑部が第２平滑部の場合には、接続対象は、その第２平滑部に続いて、波付部における内面の凸部の内径が第２平滑部の内径と等しく形成された他の挿し込み代に挿入される。したがって、第２平滑部以外に、波付部における他の挿し込み代が、接続対象が挿入される挿入部となり、このため、第２平滑部を長くすることなく、この流体管を接続対象に安定して接続することができる。また、こうして、第１平滑部に加えて第２平滑部を長くする必要がないことから、接続部の長さを確実に短くすることができる。
【０００９】
また、請求項３に記載の発明に係る流体管は、請求項１に記載の流体管であって、前記波付部において前記挿し込み代を除いた部分の内面の凸部の内径は、前記挿し込み代の内面の凸部の内径よりも大きくなっている。このように、波付部において、挿し込み代を除いた部分の内面の凸部の内径を、挿し込み代の内面の凸部の内径よりも大きくすることで、波付部における流体の流れを円滑にすることができる。
【００１０】
また、請求項４に記載の発明に係る流体管は、請求項１に記載の流体管であって、前記波付部において前記挿し込み代を除いた部分の内面の凸部の内径は、前記挿し込み代の内面の凸部の内径よりも小さくなっている。このように、波付部において、挿し込み代を除いた部分の内面の凸部の内径を、挿し込み代の内面の凸部の内径よりも小さくすることで、第１平滑部に続いてこの挿し込み代に挿入される接続対象の過剰な挿し込みを防ぐことができ、ひいては、波付部の可撓性を不必要に損なうことがない。
【発明の効果】
【００１１】
この発明に係る流体管によれば、第１平滑部以外に、波付部における挿し込み代が、接続対象が挿入される挿入部となるため、第１平滑部、ひいては接続部を長くすることなく、この流体管を接続対象に安定して接続することができる。
【図面の簡単な説明】
【００１２】
【図１】この発明の第一の実施の形態の、流体管の一部破断正面図である。
【図２】同じく、流体管の最小平滑部および挿し込み代に接続対象を挿入した状態を示す、一部破断正面図である。
【図３】同じく、流体管の中間平滑部に接続対象を挿入した状態を示す、一部破断正面図である。
【図４】同じく、流体管どうしを連結した状態を示す、一部破断正面図である。
【図５】この発明の第二の実施の形態の、流体管の一部破断正面図である。
【図６】同じく、流体管の最大平滑部および挿し込み代に接続対象を挿入した状態を示す、一部破断正面図である。
【図７】同じく、流体管の中間平滑部に接続対象を挿入した状態を示す、一部破断正面図である。
【図８】同じく、流体管どうしを連結した状態を示す、一部破断正面図である。
【発明を実施するための形態】
【００１３】
以下、この発明に係る流体管を実施するための形態を図面に基づいて説明する。
【００１４】
図１〜図４は、本発明の第一の実施の形態を示す。図中符号１は、接続対象であって、例えばエアコン設備に設けられたドレン用の排水口等からなる。２は、流体管であって、例えばエアコン設備からのドレン（排水）を室外に排出するためのドレンホース等からなる。
【００１５】
この流体管２は、長手方向に沿って内外が凹凸状に連続形成された波付部３と、前記接続対象１（詳細には、接続対象１における先端部分の被挿入部１ａ）が挿入される接続部４とが、前記長手方向に交互に並んで形成されている。ここで、接続部４は、二種類以上の接続対象１、１の外径に対応するように、内径の異なる二種類以上の平滑部５、５を有し、かつ、それら平滑部５、５が連続して並んでいる。そこで、接続部４における平滑部５、５のうちの一方側に位置する平滑部５が第１平滑部５１となり、波付部３における、第１平滑部５１と隣接する部分は、その内面の凸部３ｂの内径Ｄ３１が、第１平滑部５１の内径Ｄ５１と等しく形成されて、第１平滑部５１に挿入される接続対象１がその第１平滑部５１に続いて挿入される、挿し込み代３ａとなる。
【００１６】
また、前記二種類以上の平滑部５、５において、第１平滑部５１は、他の平滑部５よりも前記長手方向に幅狭に形成されている。つまり、他の平滑部５は、この流体管２を接続対象１に安定して接続することができるだけの長さ（前記長手方向の幅）を有しているのに対し、第１平滑部５１は、この流体管２を接続対象１に安定して接続することができるだけの長さ（前記長手方向の幅）を有しておらず、それを補う意味で、前記挿し込み代３ａが設けられる。
【００１７】
そして、波付部３において、挿し込み代３ａを除いた部分３ｃの内面の凸部３ｄの内径Ｄ３２は、挿し込み代３ａの内面の凸部３ｂの内径Ｄ３１よりも大きく形成されている。
【００１８】
具体的には、流体管２は、合成樹脂製であって、前記接続部４が、流体管２の長手方向に、例えば５０ｃｍピッチとか１ｍピッチで配置され、それら接続部４、４間が前記波付部３となっている。
【００１９】
接続部４は、三種類の接続対象１、１の外径に対応するように、内径の異なる三種類の平滑部５、５を有する。すなわち、三種類の平滑部５、５は、内径が最小となる最小平滑部５ａと、内径が中間の中間平滑部５ｂと、内径が最大となる最大平滑部５ｃとからなる。そして、接続部４において、最小平滑部５ａと最大平滑部５ｃとが両側にあって、波付部３、３と並ぶように位置し、中間平滑部５ｂが、最小平滑部５ａと最大平滑部５ｃとに挟まれるように位置する。つまり、図１において、左から右に向かって、内径が順に大きくなるように、最小平滑部５ａ、中間平滑部５ｂ、最大平滑部５ｃの順に並んでいる。そこで、ここにおける最小平滑部５ａが前記第１平滑部５１となる。
【００２０】
波付部３においては、最小平滑部５ａ（第１平滑部５１）に続く、内面の凸部３ｂ六個分が前記挿し込み代３ａとなり、その内面の凸部３ｂの内径Ｄ３１（つまりは、挿し込み代３ａの内径）が、前述したように第１平滑部５１となる最小平滑部５ａの内径Ｄ５１と等しく形成される。そして、波付部３において、挿し込み代３ａを除いた部分３ｃは、その内面の凸部３ｄの内径Ｄ３２（つまりは、挿し込み代３ａを除いた部分３ｃの内径）は、挿し込み代３ａの内面の凸部３ｂの内径Ｄ３１（つまりは、挿し込み代３ａの内径）より僅かに大きく形成される。ただし、図示実施の形態においては、波付部３における外面の凸部３ｅの外径Ｄ３３（つまりは、波付部３の外径）は、挿し込み代３ａと、挿し込み代３ａを除いた部分３ｃとで、同一に形成されている。
【００２１】
ここにおいて、図２は、最小平滑部５ａ（第１平滑部５１）および挿し込み代３ａに接続対象１（詳細には、被挿入部１ａ）が挿入されることで、この流体管２が接続対象１に接続された状態を示す。ここで、流体管２は、最小平滑部５ａおよび挿し込み代３ａが端部に位置するように、最小平滑部５ａにおける中間平滑部５ｂとの境界部分で切断されている。そして、被挿入部１ａは、接続対象１の先端部分において、径がしぼられるように段付形成されており、この被挿入部１ａが、最小平滑部５ａから挿し込み代３ａに渡って挿入される。
【００２２】
また、図３は、中間平滑部５ｂに接続対象１（詳細には、被挿入部１ａ）が挿入されることで、この流体管２が接続対象１に接続された状態を示す。ここで、流体管２は、中間平滑部５ｂが端部に位置するように、中間平滑部５ｂのいずれか一方側（図示実施の形態においては、中間平滑部５ｂにおける最大平滑部５ｃとの境界部分）で切断される。また、図示を省略するが、流体管２は、最大平滑部５ｃが端部に位置するように、最大平滑部５ｃのいずれか一方側で切断されて、その最大平滑部５ｃに接続対象１が挿入されることで、この流体管２が接続対象１に接続されてもよい。
【００２３】
また、図４は、流体管２、２どうしが連結された状態を示す。ここで、一方の流体管２（左側の流体管２）は、中間平滑部５ｂが端部に位置するように、その中間平滑部５ｂにおける最大平滑部５ｃとの境界部分で切断される。そして、もう一方の流体管２（右側の流体管２）は、最大平滑部５ｃが端部に位置するように、その最大平滑部５ｃにおける中間平滑部５ｂとの境界部分で切断される。そこで、一方の流体管２の中間平滑部５ｂがもう一方の流体管２の最大平滑部５ｃに挿入されることで、これら流体管２、２は、連結される。このとき、中間平滑部５ｂの外周面には、被係止部としての突起４ａが形成されており、最大平滑部５ｃの内周面には、その突起４ａが係合する、係止部としての溝４ｂが形成されている。こうして、突起４ａが溝４ｂに係合することで、突起４ａは、溝４ｂに係止され、一方の流体管２は、もう一方の流体管２に対して抜け止めされる。そして、このように、流体管２、２どうしを連結することができることから、流体管２の長さが足りない場合であっても、その流体管２を他の流体管２と連結して有効に利用することができる。なお、図示実施の形態においては、中間平滑部５ｂの外径Ｄ５ｂは、最大平滑部５ｃの内径Ｄ５ｃよりも若干大きく形成されており、中間平滑部５ｂは、最大平滑部５ｃに圧入されるようにして挿入される。
【００２４】
次に、この第一の実施の形態における流体管２の作用効果について説明する。この流体管２によると、接続部４は、二種類以上（図示実施の形態においては、三種類）の接続対象１、１の外径に対応するように、内径の異なる二種類以上（図示実施の形態においては、三種類）の平滑部５（５ａ、５ｂ、５ｃ）を有している。したがって、接続対象１の外径に対応する内径の平滑部５が端部に位置するように、流体管２を切断することで、その平滑部５が、目的の接続対象１（詳細には、被挿入部１ａ）が挿入される挿入部となる。そして、この平滑部５が最小平滑部５ａ（第１平滑部５１）の場合には、接続対象１は、その最小平滑部５ａ（第１平滑部５１）に続いて、波付部３における内面の凸部３ｂの内径Ｄ３１が最小平滑部５ａ（第１平滑部５１）の内径Ｄ５１と等しく形成された挿し込み代３ａに挿入される。したがって、最小平滑部５ａ（第１平滑部５１）以外に、波付部３における挿し込み代３ａが、接続対象１（詳細には、被挿入部１ａ）が挿入される挿入部となる。このため、最小平滑部５ａ（第１平滑部５１）、ひいては接続部４を長くすることなく、この流体管２を接続対象１に安定して接続することができる。
【００２５】
また、接続部４における最小平滑部５ａ（第１平滑部５１）を、他の平滑部５（５ｂ、５ｃ）よりも長手方向に幅狭に形成することで、接続部４の長さを短くすることができる。そして、接続部４の長さを短くすることで、相対的に波付部３の長さを長くすることができ、これにより、この流体管２の、波付部３による可撓性を向上させることができる。
【００２６】
また、波付部３において、挿し込み代３ａを除いた部分３ｃの内面の凸部３ｄの内径Ｄ３２を、挿し込み代３ａの内面の凸部３ｂの内径Ｄ３１よりも大きく形成することで、波付部３における流体の流れを円滑にすることができる。
【００２７】
また、挿し込み代３ａの長さは、接続対象１における被挿入部１ａの長さ以上となっており、最小平滑部５ａ（第１平滑部５１）をその中間位置で切断した場合であっても、被挿入部１ａの全体を、最小平滑部５ａと挿し込み代３ａとに挿入することができる。
【００２８】
図５〜図８は、本発明の第二の実施の形態を示す。この実施の形態は、第一の実施の形態と比較すると、流体管２の波付部３における挿し込み代３ａが、最小平滑部５ａ側ではなく、最大平滑部５ｃ側に位置する、つまり最大平滑部５ｃが第１平滑部５１となるが、他はほぼ同様であり、以下に、同様の部位には同一の符号を付して説明する。
【００２９】
接続対象１は、第一の実施の形態と同様に、例えばエアコン設備に設けられたドレン用の排水口等からなる。そして、流体管２もまた、第一の実施の形態と同様に、例えばエアコン設備からのドレン（排水）を室外に排出するためのドレンホース等からなる。
【００３０】
この流体管２は、長手方向に沿って内外が凹凸状に連続形成された波付部３と、接続対象１（詳細には、接続対象１における先端部分の被挿入部１ａ）が挿入される接続部４とが、前記長手方向に交互に並んで形成されている。ここで、接続部４は、二種類以上の接続対象１、１の外径に対応するように、内径の異なる二種類以上の平滑部５、５を有し、かつ、それら平滑部５、５が連続して並んでいる。そこで、接続部４における平滑部５、５のうちの一方側に位置する平滑部５が第１平滑部５１となり、波付部３における、第１平滑部５１と隣接する部分は、その内面の凸部３ｂの内径Ｄ３１が、第１平滑部５ｃの内径Ｄ５１と等しく形成されて、第１平滑部５１に挿入される接続対象１がその第１平滑部５ｃに続いて挿入される、挿し込み代３ａとなる。
【００３１】
また、前記二種類以上の平滑部５、５において、第１平滑部５１は、他の平滑部５よりも前記長手方向に幅狭に形成されている。つまり、他の平滑部５は、この流体管２を接続対象１に安定して接続することができるだけの長さ（前記長手方向の幅）を有しているのに対し、第１平滑部５１は、この流体管２を接続対象１に安定して接続することができるだけの長さ（前記長手方向の幅）を有しておらず、それを補う意味で、前記挿し込み代３ａが設けられる。
【００３２】
そして、波付部３において、挿し込み代３ａを除いた部分３ｃの内面の凸部３ｄの内径Ｄ３２は、挿し込み代３ａの内面の凸部３ｂの内径Ｄ３１よりも小さく形成されている。
【００３３】
具体的には、流体管２は、合成樹脂製であって、前記接続部４が、流体管２の長手方向に、例えば５０ｃｍピッチとか１ｍピッチで配置され、それら接続部４、４間が前記波付部３となっている。
【００３４】
接続部４は、三種類の接続対象１、１の外径に対応するように、内径の異なる三種類の平滑部５、５を有する。すなわち、三種類の平滑部５、５は、内径が最小となる最小平滑部５ａと、内径が中間の中間平滑部５ｂと、内径が最大となる最大平滑部５ｃとからなる。そして、接続部４において、最小平滑部５ａと最大平滑部５ｃとが両側にあって、波付部３、３と並ぶように位置し、中間平滑部５ｂが、最小平滑部５ａと最大平滑部５ｃとに挟まれるように位置する。つまり、図５において、右から左に向かって、内径が順に大きくなるように、最小平滑部５ａ、中間平滑部５ｂ、最大平滑部５ｃの順に並んでいる。そこで、ここにおける最大平滑部５ｃが前記第１平滑部５１となる。
【００３５】
波付部３においては、最大平滑部５ｃ（第１平滑部５１）に続く、内面の凸部３ｂ六個分が前記挿し込み代３ａとなり、その内面の凸部３ｂの内径Ｄ３１（つまりは、挿し込み代３ａの内径）が、前述したように第１平滑部５１となる最大平滑部５ｃの内径Ｄ５１と等しく形成される。そして、波付部３において、挿し込み代３ａを除いた部分３ｃは、その内面の凸部３ｄの内径Ｄ３２（つまりは、挿し込み代３ａを除いた部分３ｃの内径）は、挿し込み代３ａの内面の凸部３ｂの内径Ｄ３１（つまりは、挿し込み代３ａの内径）より若干小さく形成される。ただし、図示実施の形態においては、波付部３における外面の凸部３ｅの外径Ｄ３３（つまりは、波付部３の外径）は、挿し込み代３ａと、挿し込み代３ａを除いた部分３ｃとで、同一に形成されている。
【００３６】
ここにおいて、図６は、最大平滑部５ｃ（第１平滑部５１）および挿し込み代３ａに接続対象１（詳細には、被挿入部１ａ）が挿入されることで、この流体管２が接続対象１に接続された状態を示す。ここで、流体管２は、最大平滑部５ｃおよび挿し込み代３ａが端部に位置するように、最大平滑部５ｃにおける中間平滑部５ｂとの境界部分で切断されている。そして、被挿入部１ａは、接続対象１の先端部分において、径がしぼられるように段付形成されており、この被挿入部１ａが、最大平滑部５ｃから挿し込み代３ａに渡って挿入される。
【００３７】
また、図７は、中間平滑部５ｂに接続対象１（詳細には、被挿入部１ａ）が挿入されることで、この流体管２が接続対象１に接続された状態を示す。ここで、流体管２は、中間平滑部５ｂが端部に位置するように、中間平滑部５ｂのいずれか一方側（図示実施の形態においては、中間平滑部５ｂにおける最小平滑部５ａとの境界部分）で切断される。また、図示を省略するが、流体管２は、最小平滑部５ａが端部に位置するように、最小平滑部５ａのいずれか一方側で切断されて、その最小平滑部５ａに接続対象１が挿入されることで、この流体管２が接続対象１に接続されてもよい。
【００３８】
また、図８は、流体管２、２どうしが連結された状態を示す。ここで、一方の流体管２（右側の流体管２）は、中間平滑部５ｂが端部に位置するように、その中間平滑部５ｂにおける最大平滑部５ｃとの境界部分で切断される。そして、もう一方の流体管２（左側の流体管２）は、最大平滑部５ｃが端部に位置するように、その最大平滑部５ｃにおける中間平滑部５ｂとの境界部分で切断される。そこで、一方の流体管２の中間平滑部５ｂがもう一方の流体管２の最大平滑部５ｃ（図示実施の形態においては、最大平滑部５ｃおよび挿し込み代３ａ）に挿入されることで、これら流体管２、２は、連結される。このとき、中間平滑部５ｂの外周面には、被係止部としての突起４ａが形成されており、最大平滑部５ｃの内周面には、その突起４ａが係合する、係止部としての溝４ｂが形成されている。こうして、突起４ａが溝４ｂに係合することで、突起４ａは、溝４ｂに係止され、一方の流体管２は、もう一方の流体管２に対して抜け止めされる。そして、このように、流体管２、２どうしを連結することができることから、流体管２の長さが足りない場合であっても、その流体管２を他の流体管２と連結して有効に利用することができる。なお、図示実施の形態においては、中間平滑部５ｂの外径Ｄ５ｂは、最大平滑部５ｃ（第１平滑部５１）の内径Ｄ５１および挿し込み代３ａの内面の凸部３ｂの内径Ｄ３１よりも若干大きく形成されており、中間平滑部５ｂは、最大平滑部５ｃ（図示実施の形態においては、最大平滑部５ｃおよび挿し込み代３ａ）に圧入されるようにして挿入される。
【００３９】
次に、この第二の実施の形態における流体管２の作用効果について説明する。この流体管２によると、接続部４は、二種類以上（図示実施の形態においては、三種類）の接続対象１、１の外径に対応するように、内径の異なる二種類以上（図示実施の形態においては、三種類）の平滑部５（５ａ、５ｂ、５ｃ）を有している。したがって、接続対象１の外径に対応する内径の平滑部５が端部に位置するように、流体管２を切断することで、その平滑部５が、目的の接続対象１（詳細には、被挿入部１ａ）が挿入される挿入部となる。そして、この平滑部５が最大平滑部５ｃ（第１平滑部５１）の場合には、接続対象１は、その最大平滑部５ｃ（第１平滑部５１）に続いて、波付部３における内面の凸部３ｂの内径Ｄ３１が最大平滑部５ｃ（第１平滑部５１）の内径Ｄ５１と等しく形成された挿し込み代３ａに挿入される。したがって、最大平滑部５ｃ（第１平滑部５１）以外に、波付部３における挿し込み代３ａが、接続対象１（詳細には、被挿入部１ａ）が挿入される挿入部となる。このため、最大平滑部５ｃ（第１平滑部５１）、ひいては接続部４を長くすることなく、この流体管２を接続対象１に安定して接続することができる。
【００４０】
また、接続部４における最大平滑部５ｃ（第１平滑部５１）を、他の平滑部５（５ａ、５ｂ）よりも長手方向に幅狭に形成することで、接続部４の長さを短くすることができる。そして、接続部４の長さを短くすることで、相対的に波付部３の長さを長くすることができ、これにより、この流体管２の、波付部３による可撓性を向上させることができる。
【００４１】
また、波付部３において、挿し込み代３ａを除いた部分３ｃの内面の凸部３ｄの内径Ｄ３２を、挿し込み代３ａの内面の凸部３ｂの内径Ｄ３１よりも小さく形成することで、最大平滑部５ｃ（第１平滑部５１）に続いてこの挿し込み代３ａに挿入される接続対象１（例えば段が設けられず真っ直ぐ形成されているような接続対象）の過剰な挿し込みを防ぐことができ、ひいては、波付部３の可撓性を不必要に損なうことがない。
【００４２】
また、挿し込み代３ａの長さは、接続対象１における被挿入部１ａの長さ以上となっており、最大平滑部５ｃ（第１平滑部５１）をその中間位置で切断した場合であっても、被挿入部１ａの全体を、最大平滑部５ｃと挿し込み代３ａとに挿入することができる。
【００４３】
なお、本発明は、上述した実施の形態に限定されるわけではなく、その他種々の変更が可能である。例えば、流体管２は、エアコン設備の排水を排出するドレンホースに限らず、蒸気を用いる機械においてその蒸気が凝結した水を排出するドレーンホースであってもよく、さらには、ドレーンホースでなくとも、広く流体が通るものであれば、どのようなものでもよい。
【００４４】
また、流体管２の波付部３は、長手方向に沿って内外が凹凸状に連続形成されるものであればよく、リングからなる凸状部と凹状部が長手方向に並ぶものに限らず、凸状部と凹状部が螺旋を描いて形成されるものでもよい。
【００４５】
また、接続部４は、三種類の接続対象１、１の外形に対応するように、内径の異なる三種類の平滑部５、５を有するが、二種類の接続対象１、１の外形に対応するように、内径の異なる二種類の平滑部５、５を有してもよく、また、四種類以上の接続対象１、１の外形に対応するように、内径の異なる四種類以上の平滑部４、４を有してもよい。また、これら平滑部５、５の並び順は、特に限定されず、例えば、中間平滑部５ｂが、接続部４の一方側に設けられても構わない。また、これら二種類以上の平滑部５、５のうちの、一種類あるいは複数種類の平滑部５は、接続部４において、複数の位置に配置されてもよい。つまり、一つの接続部４につき、同一の内径を有する平滑部５が、複数設けられても構わない。
【００４６】
また、第１の実施の形態において、波付部３における外面の凸部３ｅの外径Ｄ３３（つまりは、波付部３の外径）は、挿し込み代３ａと、挿し込み代３ａを除いた部分３ｃとで、同一に形成されなくとも、例えば、挿し込み代３ａを除いた部分３ｃの外径が、挿し込み代３ａの外径よりも径大に形成されてもよい。同様に、第２の実施の形態においても、波付部３における外面の凸部３ｅの外径Ｄ３３（つまりは、波付部３の外径）は、挿し込み代３ａと、挿し込み代３ａを除いた部分３ｃとで、同一に形成される必要はなく、例えば、挿し込み代３ａを除いた部分３ｃの外径が、挿し込み代３ａの外径よりも径小に形成されてもよい。
【００４７】
また、第一の実施の形態において、接続部４における平滑部５のうちの一方側に位置する最小平滑部５ａが第１平滑部５１となり、波付部３における、最小平滑部５ａ（第１平滑部５１）と隣接する部分は、その内面の凸部３ｂの内径Ｄ３１が最小平滑部５ａの内径Ｄ５１と等しく形成されて、最小平滑部５ａに挿入される接続対象１がその最小平滑部５ａに続いて挿入される、挿し込み代３ａとなっているが、これに加えて、接続部４における平滑部５、５のうちの他方側に位置する平滑部５、つまり最大平滑部５ｃが第２平滑部となり、波付部３における、最大平滑部５ｃ（第２平滑部）と隣接する部分は、その内面の凸部の内径が最大平滑部５ｃの内径Ｄ５ｃと等しく形成されて、最大平滑部５ｃに挿入される接続対象１がその最大平滑部５ｃに続いて挿入される、他の挿し込み代となってもよい。これにより、接続対象１が挿入される平滑部５が最大平滑部５ｃ（第２平滑部）の場合には、接続対象１は、その最大平滑部５ｃに続いて、波付部３における内面の凸部の内径が最大平滑部５ｃの内径Ｄ５ｃと等しく形成された他の挿し込み代に挿入される。したがって、最大平滑部５ｃ（第２平滑部）以外に、波付部３における他の挿し込み代が、接続対象１が挿入される挿入部となり、このため、最大平滑部５ｃを長くすることなく、この流体管２を接続対象１に安定して接続することができる。また、こうして、最小平滑部５ａ（第１平滑部５１）に加えて最大平滑部５ｃ（第２平滑部）を長くする必要がないことから、接続部４の長さを確実に短くすることができる。
【００４８】
また、このように、第１平滑部５１の他に第２平滑部を設けた場合には、波付部３において挿し込み代３ａおよび前記他の挿し込み代を除いた部分の内面の凸部の内径が、挿し込み代３ａおよび前記他の挿し込み代の内面の凸部の内径よりも大きく形成されてもよい。こうして、波付部３において、挿し込み代３ａおよび他の挿し込み代を除いた部分の内面の凸部の内径を、挿し込み代３ａおよび他の挿し込み代の内面の凸部の内径よりも大きくすることで、波付部３における流体の流れを円滑にすることができる。
【００４９】
また、反対に、第二の実施の形態において、接続部４における平滑部５のうちの一方側に位置する最大平滑部５ｃが第１平滑部５１となり、波付部３における、最大平滑部５ｃ（第１平滑部５１）と隣接する部分は、その内面の凸部３ｂの内径Ｄ３１が最大平滑部５ｃの内径Ｄ５１と等しく形成されて、最大平滑部５ｃに挿入される接続対象１がその最大平滑部５ｃに続いて挿入される、挿し込み代３ａとなっているが、これに加えて、接続部４における平滑部５、５のうちの他方側に位置する平滑部５、つまり最小平滑部５ａが第２平滑部となり、波付部３における、最小平滑部５ａ（第２平滑部）と隣接する部分は、その内面の凸部の内径が最小平滑部５ａの内径と等しく形成されて、最小平滑部５ａに挿入される接続対象１がその最小平滑部５ａに続いて挿入される、他の挿し込み代となってもよい。これにより、接続対象１が挿入される平滑部５が最小平滑部５ａ（第２平滑部）の場合には、接続対象１は、その最小平滑部５ａに続いて、波付部３における内面の凸部の内径が最小平滑部５ａの内径と等しく形成された他の挿し込み代に挿入される。したがって、最小平滑部５ａ（第２平滑部）以外に、波付部３における他の挿し込み代が、接続対象１が挿入される挿入部となり、このため、最小平滑部５ａを長くすることなく、この流体管２を接続対象１に安定して接続することができる。また、こうして、最大平滑部５ｃ（第１平滑部５１）に加えて最小平滑部５ａ（第２平滑部）を長くする必要がないことから、接続部４の長さを確実に短くすることができる。
【００５０】
また、このように、第１平滑部５１の他に第２平滑部を設けた場合には、波付部３において挿し込み代３ａおよび前記他の挿し込み代を除いた部分の内面の凸部の内径が、挿し込み代３ａおよび前記他の挿し込み代の内面の凸部の内径よりも小さく形成されてもよい。こうして、波付部において、挿し込み代３ａおよび他の挿し込み代を除いた部分の内面の凸部の内径を、挿し込み代３ａおよび他の挿し込み代の内面の凸部の内径よりも小さくすることで、最大平滑部５ｃ（第１平滑部）とか最小平滑部５ａ（第２平滑部）に続いてこの挿し込み代３ａとか他の挿し込み代に挿入される接続対象１の過剰な挿し込みを防ぐことができ、ひいては、波付部３の可撓性を不必要に損なうことがない。
【００５１】
さらに、上述した二つの例のように、第１平滑部５１の他に第２平滑部を設けた場合であって、例えば、第２平滑部の内径が第１平滑部５１の内径Ｄ５１よりも大きくなるように、各平滑部５、５が並ぶ場合には、波付部３において挿し込み代３ａおよび他の挿し込み代を除いた部分の内面の凸部の内径が、挿し込み代３ａの内面の凸部の内径よりも大きく、かつ、他の挿し込み代の内面の凸部の内径よりも小さく形成されてもよい。こうすることで、波付部３における流体の流れをそれほど損なうことがなく、しかも、第２平滑部に続いて他の挿し込み代に挿入される接続対象１の過剰な挿し込みを防ぐことができる。
【００５２】
また、第一の実施の形態において、波付部３での挿し込み代３ａを除いた部分３ｃの内面の凸部３ｄの内径Ｄ３２は、挿し込み代３ａの内面の凸部３ｂの内径Ｄ３１よりも大きく形成されているが、反対に小さく形成されてもよく、同一に形成されてもよい。ここで、波付部３での挿し込み代３ａを除いた部分３ｃの内面の凸部３ｄの内径Ｄ３２が、挿し込み代３ａの内面の凸部３ｂの内径Ｄ３１よりも小さく形成される場合には、最小平滑部５ａ（第１平滑部５１）に続いて挿し込み代３ａに挿入される接続対象１の過剰な挿し込みを防ぐことができ、ひいては、波付部３の可撓性を不必要に損なうことがない。
【００５３】
また、第二の実施の形態において、波付部３での挿し込み代３ａを除いた部分３ｃの内面の凸部３ｄの内径Ｄ３２は、挿し込み代３ａの内面の凸部３ｂの内径Ｄ３１よりも小さく形成されているが、反対に大きく形成されてもよく、同一に形成されてもよい。ここで、波付部３での挿し込み代３ａを除いた部分３ｃの内面の凸部３ｄの内径Ｄ３２が、挿し込み代３ａの内面の凸部３ｂの内径Ｄ３１よりも大きく形成される場合には、波付部３における流体の流れを円滑にすることができる。
【符号の説明】
【００５４】
１  接続対象
２  流体管
３  波付部
３ａ  挿し込み代
３ｂ  内面の凸部
Ｄ３１  内径
３ｃ  挿し込み代を除いた部分
３ｄ  内面の凸部
Ｄ３２  内径
４  接続部
５  平滑部
５１  第１平滑部
Ｄ５１  内径
【図１】
2011153667.tif 000003
【図２】
2011153667.tif 000004
【図３】
2011153667.tif 000005
【図４】
2011153667.tif 000006
【図５】
2011153667.tif 000007
【図６】
2011153667.tif 000008
【図７】
2011153667.tif 000009
【図８】
2011153667.tif 000010